(57)【要約】      （修正有）【課題】厚みの異なる複数種類の替え刃を幅広く使用でき、替え刃の取り替え作業が容易で、使用時の替え刃のガタツキも良好に防止できる替え刃式手鋸を提供する。【解決手段】背壁２１と一対の側壁２２とを逆Ｕ字形状に構成した背金部２０を鋸柄２に設け、替え刃３を側壁間の差入れ溝２３に差入れて引掛け軸２４に引っ掛け、回動させて固定するようにした替え刃式手鋸であって、背金部２０の前端から一定の範囲にある上端を、背壁２１の存在しない上端解放部２８とし、背金部の前端付近を下方、前方の他、上方にも開放する片持ち梁に構成して、弾性変形による拡開を容易にし、且つ背金部の前端の側壁間に、差入れ溝２３の隙間よりも狭く窄められた狭窄隙間部２９を構成した。【選択図】図１
0003218440.tif 000002
【実用新案登録請求の範囲】
【請求項１】
背壁と一対の側壁とを逆Ｕ字形状に構成した背金部を鋸柄に設け、前記背金部の側壁間に、替え刃の差入れ溝を構成すると共に替え刃の引掛け軸を設け、替え刃を前記引掛け軸に引っ掛けた状態で回動させて固定するようにした替え刃式手鋸であって、
背金部の前端から一定の範囲にある上端を、背壁の存在しない上端解放部とし、これによって背金部の前端付近を下方、前方の他、上方にも開放する片持ち梁に構成し、且つ前記背金部の前端の側壁間に、前記差入れ溝の隙間よりも狭く窄められた狭窄隙間部を構成したことを特徴とする替え刃式手鋸。
【請求項２】
狭窄隙間部は、背金部の前端における下端を除く側壁間に、上端開放部に至る範囲で設けたことを特徴とする請求項１に記載の替え刃式手鋸。
【請求項３】
背金部の前端から一定の範囲にある領域を、バネ弾性を付与した熱処理領域として、上端開放部に対応して設けていることを特徴とする請求項１又は２に記載の替え刃式手鋸。
【請求項４】
背金部には、該背金部に回転自在に軸支される操作レバーと、該操作レバーによって進退動作される掛け金とを備えた掛け金具を設け、該掛け金具の前記掛け金は、背金部の背壁に当接するまで回動してくる替え刃に対して係合する構成とし、前記掛け金具の操作レバーは、替え刃に係合した前記掛け金を進退させることで替え刃の固定とその解除を行う構成としたことを特徴とする請求項１〜３の何れかに記載の替え刃式手鋸。
【考案の詳細な説明】
【技術分野】
【０００１】
本発明は替え刃式手鋸に関する。
【背景技術】
【０００２】
手鋸には、鋸柄に対して鋸刃が着脱不能の一体型手鋸と、鋸柄に対して鋸刃を着脱自在に取り替えることができる替え刃式手鋸とがある。
替え刃式手鋸は、鋸刃が古くなったときに新しい鋸刃と交換して取り付けることができるので、便利である。
【先行技術文献】
【特許文献】
【０００３】
【特許文献１】実開平４−７１０３号公報
【特許文献２】特開平８−１６０２号公報
【特許文献３】特開平８−５７８０１号公報
【特許文献４】特開２００６−２４７７８４号公報
【考案の概要】
【考案が解決しようとする課題】
【０００４】
上記特許文献１は替え刃式鋸の鋸刃取り外し具に関し、容易に脱落したりガタついたりしないように堅固に挟持して取り付けた鋸刃を、取り外す際、容易に取り外すことができる治具を提供している。
上記特許文献２は替え刃式のこの柄に関し、熱処理を施した成形片（３）の前部を構成する切欠き舌片対（１０）全域に、狭い隙間を構成する局部狭あい領域（１１）を設けた構造が開示されている。
上記特許文献３は替え刃式鋸における背金の構造に関し、背金（１）の前部の下辺に沿って、狭い隙間を構成する狭まり部（７）を設けた構造が開示されている。図７に、従来販売されていた、特許文献３に示すものと同様な鋸を示す。この図７の鋸は、背金（１）の下辺に沿って狭まり部（７）を設けることで、替え刃のガタツキを押さえるようにしている。
上記特許文献４は替刃式鋸に関し、背金（２）の下辺に沿って、狭い隙間を構成する当接部（８）を設ける他、替刃を締め付ける締付ボルト（５）を設けた構造が開示されている。【０００５】
上記特許文献１の鋸の場合は、替え刃を背金の隙間だけで挟持し、使用時に替え刃が簡単に外れないようにするため、背金での挟持、固定を大変強固にする必要がある。このため、替え刃の取り外し及び取り付けに専用の取り外し具を必要とするなど、非常に厄介な作業となっていた。また使用できる替え刃は、原則として、一種類の厚みからなる替え刃だけであった。
上記特許文献２の鋸の場合は、熱処理により弾性を増した局部狭あい領域（１１）を設けることで、装着できる替え刃の厚みの許容範囲を多少増すことができる。しかしながら、この特許文献２の鋸の場合、局部狭あい領域（１１）が比較的広い範囲であること、且つ背金（成形片（３））だけで替え刃を挟持する構成であるため、実際には、替え刃の厚みが少し増すだけで替え刃の着脱が難しくなり、また替え刃の厚みが少し薄くなるだけで鋸刃の押さえが不十分となって、ガタツキが生じる問題があった。
上記特許文献３の鋸の場合も、背金（１）の前部の下辺に沿って狭まり部（７）を設けることで、特許文献２の場合と同様に、装着できる替え刃の厚みの許容範囲を多少増すことができる。しかしながら背金（１）下辺に沿う狭まり部（７）の存在は、替え刃の侵入に対する抵抗の増大となる。しかも特許文献３の場合も背金（１）だけで替え刃を挟持して固定する必要がある。このため特許文献２の場合と同様に、替え刃の厚みが少し増すだけで替え刃の着脱が難しくなり、また替え刃の厚みが少し薄くなるだけで鋸刃の押さえが不十分となり、ガタツキが生じるという問題を残していた。
上記特許文献４の鋸の場合は、鋸の背金（２）の下辺に沿って狭い隙間を構成する当接部（８）を設けることで、鋸刃のガタツキを抑えることができ、また締付ボルト（５）により替刃を適切に締め付けることで、使用できる替刃の厚みの許容範囲を広くすることができる。しかしながら特許文献４の場合は、部品として、新たに締付ボルト（５）、バネワッシャー、ナット部材（７）を必要とする。しかし、これらの部品は、それぞれが独立した部品であるので、実際の現場では、替刃の取り替え作業中に容易に脱落、落下し、紛失し易い問題があった。【０００６】
そこで本発明は上記従来技術の種々の問題点を解消し、切断対象物に応じて厚みの異なる複数種類の替え刃を幅広く使用することができ、使用時における替え刃のガタツキも良好に防止することができ、替え刃の取り替え作業も容易である替え刃式手鋸の提供を課題とする。
【課題を解決するための手段】
【０００７】
上記課題を達成するため本発明の替え刃式手鋸は、背壁と一対の側壁とを逆Ｕ字形状に構成した背金部を鋸柄に設け、前記背金部の側壁間に、替え刃の差入れ溝を構成すると共に替え刃の引掛け軸を設け、替え刃を前記引掛け軸に引っ掛けた状態で回動させて固定するようにした替え刃式手鋸であって、
背金部の前端から一定の範囲にある上端を、背壁の存在しない上端解放部とし、これによって背金部の前端付近を下方、前方の他、上方にも開放する片持ち梁に構成し、且つ前記背金部の前端の側壁間に、前記差入れ溝の隙間よりも狭く窄められた狭窄隙間部を構成したことを第１の特徴としている。
また本発明の替え刃式手鋸は、上記第１の特徴に加えて、狭窄隙間部は、背金部の前端における下端を除く側壁間に、上端開放部に至る範囲で設けたことを第２の特徴としている。
また本発明の替え刃式手鋸は、上記第１又は第２の特徴に加えて、背金部の前端から一定の範囲にある領域を、バネ弾性を付与した熱処理領域として、上端開放部に対応して設けていることを第３の特徴としている。
また本発明の替え刃式手鋸は、上記第１〜第３の何れかの特徴に加えて、背金部には、該背金部に回転自在に軸支される操作レバーと、該操作レバーによって進退動作される掛け金とを備えた掛け金具を設け、該掛け金具の前記掛け金は、背金部の背壁に当接するまで回動してくる替え刃に対して係合する構成とし、前記掛け金具の操作レバーは、替え刃に係合した前記掛け金を進退させることで替え刃の固定とその解除を行う構成としたことを第４の特徴としている。
【考案の効果】
【０００８】
請求項１に記載の替え刃式手鋸によれば、鋸柄に差替え自在に取り付けられる替え刃は、鋸柄の背金部に対して取り付けられる。替え刃は、逆Ｕ字状に構成された背金部の一対の側壁間に構成された差入れ溝に差入れられ、引掛け軸に引っ掛けられて回動され、背金部の背壁に達して停止する。
替え刃が回動終端近くになると、替え刃が背金部の前端付近に達して、その前端の側壁間に設けられた狭窄隙間部に侵入して行く。このとき狭窄隙間部は差入れ溝よりも狭く窄められているので、替え刃が背金部の前端の狭窄隙間部を押し広げながら更に侵入し、行き当たったところで停止する。この状態で、替え刃は狭窄隙間部において両側から挟持される。
請求項１に記載の替え刃式手鋸では、背金部の前端から一定の範囲で、背壁の存在しない上端開放部を設けているので、一対の側壁の各前端付近が、下方、前方の他、上方にも開放された片持ち梁となり、側壁前端付近での弾性変形による拡開がより容易となる。このため背金部の前端間に設けられる狭窄隙間部の隙間寸法をより狭く設定しても、厚みの厚い替え刃の侵入を可能とすることができる。そして狭窄隙間部をより狭く設定することで、より厚みの薄い替え刃に対しても両側から確実に狭持することができ、薄い替え刃のガタツキを防止することができる。
即ち、より厚い替え刃に対する差替えを可能とすると共に、より薄い替え刃に対するガタツキを防止することができる。よって、より広範囲の厚みをもつ種々の替え刃に対して、その適用を可能とし、且つ差替え並びにガタツキ防止を良好に図ることができる。
加えて、請求項１に記載の替え刃式手鋸によれば、狭窄隙間部を背金部の前端の側壁間に設けたので、該狭窄隙間部の長手方向が背金部の背壁に略直角な方向となり、回動してくる替え刃に対しても略直角な方向となる、このため替え刃が狭窄隙間部へ侵入しようとする際の狭窄隙間部による抵抗が少なくなり、替え刃が容易に狭窄隙間部に侵入して行くことができる。従って、より厚みの厚い替え刃をより狭くした狭窄隙間部に侵入させることが可能となる。また、より厚みの薄い替え刃をより狭くした狭窄隙間部で挟持して、ガタツキを防止することができる。
よって請求項１に記載の替え刃式手鋸によれば、背金部の前端から一定の範囲にある上端に背壁を切り欠いてなる上端開放部を設け、且つ狭窄隙間部を背金部の前端の側壁間に設けたので、厚みが薄い替え刃から厚い替え刃まで、より広範囲の替え刃を差替え使用することができると共に、薄い替え刃から厚い替え刃まで、より広範囲の替え刃をガタツキなく両側から押さえて挟持することができる。【０００９】
また請求項２に記載の替え刃式手鋸によれば、上記請求項１に記載の構成による作用効果に加えて、狭窄隙間部は、背金部の前端における下端を除く側壁間に設けているので、
替え刃が背金部の前端の下端に到達した際に、その下端でいきなり狭くなった背金の隙間に侵入を阻まれるような状況を回避して、とりあえず侵入を確保させることができる。
背金部の前端の下端に容易に侵入することができた替え刃は、狭窄隙間部と略直角方向に交わりながら、次々と狭窄隙間部を長手方向に押し広げながら侵入して行くことができる。狭窄隙間部と替え刃とが略直角方向に交わることで、替え刃が狭窄隙間部に侵入する際の抵抗を小さくすることができ、替え刃の侵入を容易にすることができる。
また前記狭窄隙間部は、背金部の前端において、上端開放部に至るまで設けているので、
替え刃を背金部の上端開放部に行き着くまで十分に侵入させることができる。そして十分に侵入した替え刃を、狭窄隙間部で、替え刃の背側から腹側方向に狭窄隙間部の全長で挟持することができる。よって取り付けた替え刃のガタツキを、より良好に防止することができる。【００１０】
また請求項３に記載の替え刃式手鋸によれば、上記請求項１又は２に記載の構成のよる作用効果に加えて、背金部の前端から一定の範囲にある領域を、バネ弾性を付与した熱処理領域として、上端開放部に対応して設けているので、
熱処理領域が、その付与されたバネ弾性により、より容易に狭窄隙間部を広げ、また元に戻ることができるので、より厚い替え刃に対しても、これを差替えることができる。またより薄い替え刃に対しても、より狭くした狭窄隙間部によって良好にガタツキを抑制することができる。【００１１】
また請求項４に記載の替え刃式手鋸によれば、上記請求項１〜３の何れかに記載の構成による作用効果に加えて、背金部には、該背金部に回転自在に軸支される操作レバーと、該操作レバーによって進退動作される掛け金とを備えた掛け金具を設け、該掛け金具の前記掛け金は、背金部の背壁に当接するまで回動してくる替え刃に対して係合する構成とし、前記掛け金具の操作レバーは、替え刃に係合した前記掛け金を進退させることで替え刃の固定とその解除を行う構成としたので、
操作レバーの操作によって、差替えられた替え刃を最終的に背金部に確実に固定、保持することができ、またその固定の解除ができる。よって操作レバーが解除された状態では、替え刃が背金部にそれほど強固に挟持されている必要が無い。
従って替え刃を背金部に取り付ける際において、大きな人力を必要とせず、また器具を必要とすることなく容易に行える。
また強固に挟持、固定するする必要が無いので、それだけ背金部の差入れ溝や狭窄隙間部の隙間寸法の自由度が大きくなり、より広範囲の厚みをもつ種々の替え刃に対応できる。
【図面の簡単な説明】
【００１２】
【図１】本発明の実施形態に係る替え刃式手鋸の要部の正面図である。
【図２】本発明の実施形態に係る替え刃式手鋸の替え刃を外した状態を示す要部の正面図である。
【図３】本発明の替え刃式手鋸に使用される替え刃の例を示す斜視図である。
【図４】本発明の実施形態に係る替え刃式手鋸の替え刃を外した状態を示す要部の平面図である。
【図５】本発明の実施形態に係る替え刃式手鋸の替え刃を外した状態を示す要部の底面図である。
【図６】本発明の実施形態に係る替え刃式手鋸の背金部の先端を拡大してみた右側面図である。
【図７】従来の替え刃式鋸の例を示す図である。
【考案を実施するための形態】
【００１３】
以下、本発明の実施形態に係る替え刃式手鋸を説明する。
図１〜図６を参照して、実施形態に係る替え刃式手鋸１は、鋸柄２と替え刃３とを備える。
鋸柄２には、その頭部に前記替え刃３を着脱自在に取り付けるための背金部２０を備えている。この背金部２０は金属製としている。
本実施形態では、背金部２０の後方にボディー部３０が連続して一体的に構成されている。
ボディー部３０にはゴム製の握り部４０を嵌め合わせて、把持し易くしている。
なお図１において、鋸柄２の後半部分は省略している。
【００１４】
図３に、本実施形態の手鋸１に使用される替え刃３の例を示す。替え刃３の基端領域の下縁（腹側）に引掛け部３ａを湾曲させて設けている。また替え刃３の基端側の上縁（背３ｃ側）に係合凹所３ｂを設けている。
前記替え刃３の引掛け部３ａは、後述する背金部２０の引掛け軸２４に引っ掛けられる。また前記係合凹所３ｂは、後述する掛け金具５０の掛け金５２に係脱自在に係合される。
なお図３において、替え刃３の前方部は省略している。
【００１５】
前記背金部２０は、鋸柄２の頭部として設けられる。
背金部２０は、背壁２１と一対の側壁２２、２２とを逆Ｕ字形状に曲げて構成した部分である。
背金部２０は、その背壁２１を水平方向に延出する上端辺２０ａとすると、一対の側壁２２、２２は背壁２１から逆Ｕ字状に垂下する垂下壁を構成する。
背金部２０の前端は、前記水平方向に延出する上端辺２０ａに対して略直角に垂下する前端辺２０ｂを構成する。
背金部２０の下部側は、前記前端辺２０ｂの下端から後方に向けて、やや湾曲した曲線で下向きに傾斜する傾斜辺２０ｃと、それに続く水平な下端辺２０ｄとで構成される。
前記下端辺２０ｄが属する背金部２０の後部は略矩形状に構成されている。
前記背金部２０の前端をなす前端辺２０ｂの寸法は、背金部２０の後部の同方向寸法の１／２〜１／５程度とすることができる。
【００１６】
前記一対の側壁２２、２２間には差入れ溝２３が構成される。この差入れ溝２３は替え刃３の基端領域を差し入れるための溝である。
差入れ溝２３は、一対の側壁２２、２２の下端側、即ち背金部２０の前記傾斜辺２０ｃ及び下端辺２０ｄの領域において、下方に開放する。また差入れ溝２３は、一対の側壁２２、２２の前端、即ち背金部２０の前端辺２０ｂの領域において、前方に開放している。
【００１７】
前記一対の側壁２２、２２間には引掛け軸２４が設けられる。該引掛け軸２４は背金部２０の後部の下部において、一対の側壁２２、２２の間の差入れ溝２３に掛け渡された状態に設けられる。引掛け軸２４には替え刃３の引掛け部３ａが引っ掛けられる。
背金部２０の後部の上部には、後述する掛け金具５０の操作レバー５１を回動自在に軸支するための枢軸２５が、一対の側壁２２、２２の間の差入れ溝２３に掛け渡された状態に取り付けられる。
背金部２０の上部の中央部よりやや前方には横長の貫通穴２６が設けられる。この貫通穴２６に対しては、掛け金具５０の掛け金５２が遊嵌された状態に貫通して係合される。また回動してきた替え刃３の係合凹所３ｂが重なる。
【００１８】
背金部２０の前端から一定の範囲にある領域を熱処理領域２７として構成している。この熱処理領域２７は、例えば高周波焼入れを施すことによって、バネ弾性が増加して付与されている。
そして前記熱処理領域２７の上端は、背壁２１が存在しない上端開放部２８に構成している。即ち、背金部２０の上端を構成する背壁２１を、背金部２０の前端から一定の範囲で切欠き、これによって一対の側壁２２、２２が上端開放部２８の範囲で上方にも開放するように構成している。そして上端開放部２８に対応して、背金部２０の前端から一定の範囲の領域を熱処理領域２７として構成している。
この熱処理領域２７の範囲では、一対の側壁２２、２２が下方、前方の他、上方にも開放された片持ち梁となっており、一対の側壁２２、２２の前端、即ち背金部２０の前端がその分だけ開き易くなる。
前記熱処理領域２７或いは上端開放部２８における背金部２０の前端からの寸法を調整することにより、一対の側壁２２、２２の前端における隙間の弾性的な拡大可能範囲を調整することができる。
なお、上端開放部２８や熱処理領域２７が設けられる位置は、背金部２０の上部の貫通穴２６よりも前方の領域である。
【００１９】
背金部２０の前端の側壁２２、２２間に狭窄隙間部２９を設けている。
狭窄隙間部２９は、差替えられた替え刃３を背金部２０の前端で挟持し、これによって替え刃３のガタツキを抑制する役割を主として果たす。
狭窄隙間部２９は、差入れ溝２３の隙間よりも狭く窄められた状態に構成されているので、厚みの薄い替え刃３を背金部２０に取り付ける場合でも、取り付けられた替え刃３のガタツキを抑制することができる。
また狭窄隙間部２９を背金部２０の前端の側壁２２、２２間に設けることで、狭窄隙間部２９の長手方向が背金部２０の上端辺２０ａである背壁２１に対して略直角な方向になるように構成している。よって狭窄隙間部２９は、その全長で、替え刃３をその背３ｃ側から腹側へ、十分な長さで挟持することができる。よって替え刃３のガタツキをより効果的に抑制することができる。
図７に示す従来の鋸のように、狭まり部（７）を背金（１）前部の下辺に沿って水平方向に設ける場合は、替え刃をその短手方向に十分な長さで挟持することができず、替え刃のガタツキの抑制効果が少ない。
一方、本発明の狭窄隙間部２９は、その長手方向が、回動してくる替え刃３の背３ｃ側に略直角な方向になるので、回動してくる替え刃３の狭窄隙間部２９内への侵入が容易となり、より狭い隙間の狭窄隙間部２９を設けることができる。
図７に示すように、狭まり部（７）を背金（１）前部の下辺に沿って平行に設ける場合は、該回動してくる替え刃が狭まり部（７）と交わりを開始する際の接触面積が大きくなり、よって侵入抵抗が大きくなるため、狭まり部（７）をあまり狭くすることができない。
【００２０】
狭窄隙間部２９は、背金部２０の前端において、その下端を除く側壁２２、２２間に、上端開放部２８に至る範囲で設けられている。
狭窄隙間部２９は背金部２０の前端における下端には設けられていない。該下端は前記差入れ溝２３の一部を構成し、該差入れ溝２３はその隙間寸法が狭窄隙間部２９よりも大きいので、替え刃３は、とりあえず背金部２０の前端における下端の隙間に侵入することができる。
即ち、狭窄隙間部２９を背金部２０の前端において、その下端には設けないことによって、替え刃３を背金部２０の前端の側壁２２、２２間に容易に侵入させることができ、更なる侵入を容易にするガイド効果が大きい。
狭窄隙間部２９は、下端の差入れ溝２３の隙間寸法から上方に向けて窄まっていくようにして構成されている。よって背金部２０の前端の下端に侵入した替え刃３は、暫時狭くなった窄まり部分を通って、狭窄隙間部２９へ侵入していくことができるので、狭窄隙間部２９への侵入がスムーズに行える。
狭窄隙間部２９は上端開放部２８に至ることで、背金部２０の前端の開放状態が上端につながると共に、背金部２０の前端の上端における隙間が狭窄隙間部２９の狭い隙間となる。よって狭窄隙間部２９による替え刃３の挟持は、替え刃３の背に至るまでの重要な範囲で十分に行うことができる。
【００２１】
前記掛け金具５０は、操作レバー５１と掛け金５２とからなる。操作レバー５１は、背金部２０の後部の上部に設けた枢軸２５に対して枢支されている。前記掛け金５２は、後端側で操作レバー５１の中央付近に枢支され、前端側で前記背金部２０の上部の中央部よりやや前方にある横長の貫通穴２６に遊嵌されている。
前記貫通穴２６に遊嵌された掛け金５２は、替え刃３の係合凹所３ｂに対して着脱自在に係合させることができるように構成している。即ち、背金部２０の引掛け軸２４に引っ掛けた替え刃３を回動させることで、替え刃３の係合凹所３ｂが背金部２０の前記貫通穴２６の位置に重なるように、係合凹所３ｂと貫通穴２６とを位置構成する。これにより貫通穴２６に重なった係合凹所３ｂに対して、前記掛け金５２を係合させることができる。
前記替え刃３の係合凹所３ｂが背金部２０の貫通穴２６に重なる位置は、替え刃３の背３ｃが背金部２０の差入れ溝２３内を回動して背壁２１に到達する少し手前から到達するまでの位置となる。或いはその到達直前の位置となる。
前記掛け金５２が替え刃３の係合凹所３ｂに係合した状態で、操作レバー５１を後方に引くことで、替え刃３の背が背金部２０の背壁２１に達した最終取付け位置での固定が完了する。
図１に替え刃３を最終固定位置に固定した状態を、図２に操作レバー５１を前方に移動させた状態を示す。
【００２２】
以上の本実施形態に係る替え刃式手鋸において、例えば背金部２０の差入れ溝２３の隙間寸法を１．５ｍｍ、狭窄隙間部２９の隙間寸法を０．７ｍｍ、上端開放部２８と熱処理領域２７の背金部２０の先端からの寸法を１２ｍｍとすることで、厚みが１．５ｍｍ〜０．７ｍｍまでの種々の厚みの替え刃３に対して、スムーズな差替えを達成すると共に、ガタツキのない取り付けを達成できる。即ち狭窄隙間部２９は、その隙間を０．７ｍｍから１．５ｍｍまで弾性拡張して、１．５ｍｍの厚みの替え刃３の取り付け、取り外しを可能にした。また０．７ｍｍの厚みの替え刃３に対して、０．７ｍｍの狭窄隙間部２９により替え刃３を挟持して、そのガタツキを防止することができる。
【産業上の利用可能性】
【００２３】
本発明の替え刃式手鋸は、替え刃を取り替え自在に取り付けて、木材、プラスチック等の被切断体を手動で切断する手段とし、産業上の利用可能性がある。
【符号の説明】
【００２４】
１              替え刃式手鋸
２              鋸柄
３              替え刃
３ａ            引掛け部
３ｂ            係合凹所
３ｃ            背
２０            背金部
２０ａ          上端辺
２０ｂ          前端辺
２０ｃ          傾斜辺
２０ｄ          下端辺
２１            背壁
２２            側壁
２３            差入れ溝
２４            引掛け軸
２５            枢軸
２６            貫通穴
２７            熱処理領域
２８            上端開放部
２９            狭窄隙間部
３０            ボディー部
４０            握り部
５０            掛け金具
５１            操作レバー
５２            掛け金
【図１】
0003218440.tif 000003
【図２】
0003218440.tif 000004
【図３】
0003218440.tif 000005
【図４】
0003218440.tif 000006
【図５】
0003218440.tif 000007
【図６】
0003218440.tif 000008
【図７】
0003218440.tif 000009